(57)【要約】【課題】遊技盤取付枠に対しての遊技盤と機構板との固定を一個の固定具を回動させることで一括してできるようにする。【解決手段】前面枠２の裏側に設けられた遊技盤取付枠３に着脱自在に装着される遊技盤４と、該遊技盤４の裏側に装着される機構板９とを備え、前記遊技盤取付枠３の後面に遊技盤押え部１５と機構板押え部１７を有する固定具１２を回動自在に軸支すると共に、該固定具１２を遊技盤４のみを押え固定する第１位置と、遊技盤４と機構板９とを同時に押え固定する第２位置とに変更位置させるようにしたパチンコ機であって、前記固定具１２の遊技盤押え部１５と機構板押え部１７が段差をもって区画されていることを特徴とする。【選択図】図７
2004167286.tif 000002
【特許請求の範囲】
【請求項１】
前面枠の裏側に設けられた遊技盤取付枠に着脱自在に装着される遊技盤と、該遊技盤の裏側に装着される機構板とを備え、
前記遊技盤取付枠の後面に遊技盤押え部と機構板押え部を有する固定具を軸孔に回動自在に軸支すると共に、該固定具を遊技盤のみを押え固定する第１位置と、遊技盤と機構板とを同時に押え固定する第２位置とに変更位置させるようにしたパチンコ機であって、
前記固定具は、平面をほぼＬ字状に屈曲しており、前記軸孔より一方の下面には前記遊技盤押え部を設けると共に、前記軸孔より他方に段差を介して前記機構板押え部を設けたことを特徴とするパチンコ機。
【発明の詳細な説明】
【技術分野】
【０００１】
本発明は、遊技盤取付枠の裏側に回動可能に軸支した固定具で、遊技盤と機構板の双方を同時に固定させるようにしたパチンコ機に関するものである。
【背景技術】
【０００２】
従来のパチンコ機は、遊技盤取付枠内に装着した遊技盤は遊技盤用の固定具で固定し、機構板は機構板用の別の固定具で固定するようにしていた。
【発明の開示】
【発明が解決しようとする課題】
【０００３】
このように従来のパチンコ機では遊技盤と機構板とをそれぞれ別々の固定具を使って複数個所で固定するために数多くの構成部品を必要としてコスト高になり、さらに多数個所で固定するために手間が掛かるといった問題があった。
【０００４】
そこで、本発明は、一個の固定具を回動することで遊技盤と機構板の双方を同時に固定することができるようにして、従来技術より構成部品点数と、固定するための手間を減少することができるパチンコ機を提供することを目的としている。
【課題を解決するための手段】
【０００５】
かかる目的を達成するために本発明は、前面枠の裏側に設けられた遊技盤取付枠に着脱自在に装着される遊技盤と、該遊技盤の裏側に装着される機構板とを備えてなるパチンコ機において、前記遊技盤取付枠の後面に遊技盤押え部と機構板押え部を有する固定具を回動自在に軸支すると共に、該固定具を遊技盤のみを押え固定する第１位置と、遊技盤と機構板とを同時に押え固定する第２位置とに変更位置させるようにした。
【０００６】
さらに、前記固定具の機構板押え部の下面に小突起を突設し、一方、機構板の上面に凹部を設けて該凹部に前記小突起を嵌合させることで、固定具で遊技盤と機構板とを安定した状態で固定保持できるようにした。
【０００７】
また、固定具の機構板押え部は遊技盤押え部と段差を介して設けるのが好ましい。
【０００８】
さらに、固定具の機構板押え部は複数設けるのが好ましい。
【０００９】
また、本発明は、前面枠の裏側に設けられた遊技盤取付枠に着脱自在に装着される遊技盤と、該遊技盤の裏側に装着される機構板とを備え、前記遊技盤取付枠の後面に遊技盤押え部と機構板押え部を有する固定具を回動自在に軸支すると共に、該固定具を遊技盤のみを押え固定する第１位置と、遊技盤と機構板とを同時に押え固定する第２位置とに変更位置させるようにしたパチンコ機であって、前記固定具の遊技盤押え部と機構板押え部が段差をもって区画されていることを特徴としている。
【００１０】
さらに、本発明は、前面枠の裏側に設けられた遊技盤取付枠に着脱自在に装着される遊技盤と、該遊技盤の裏側に装着される機構板とを備えたパチンコ機において、前記遊技盤取付枠の後面に段差によって区画され、基端側を遊技盤押え部とし、先端側を機構板押え部とした固定具を回動自在に軸支し、前記固定具を回動すると、前記遊技盤押え部によって遊技盤のみを押え固定する第１位置と、前記遊技盤押え部によって遊技盤を押え固定すると同時に前記機構板押え部によって機構板を押え固定する第２位置とに変更位置させるようにしたことを特徴としている。
【００１１】
また、本発明は、前面枠の裏側に設けられた遊技盤取付枠に着脱自在に装着される遊技盤と、該遊技盤の裏側に装着される機構板とを備え、前記遊技盤取付枠の後面に遊技盤押え部と機構板押え部を有する固定具を軸孔に回動自在に軸支すると共に、該固定具を遊技盤のみを押え固定する第１位置と、遊技盤と機構板とを同時に押え固定する第２位置とに変更位置させるようにしたパチンコ機であって、前記固定具は、平面をほぼＬ字状に屈曲しており、前記軸孔より一方の下面には前記遊技盤押え部を設けると共に、前記軸孔より他方に段差を介して前記機構板押さ部を設けたことを特徴としている。
【００１２】
なお、前記固定具の機構板押え部は、遊技盤押え部よりも厚みを薄くして形成することが好ましい。
【発明の効果】
【００１３】
本発明に係わるパチンコ機は、遊技盤取付枠の裏面の所要個所に回動可能に軸支させた各固定具を回動させて、該固定具に設けた遊技盤押え部で遊技盤取付枠内に装着した遊技盤を押えて固定させた状態で、遊技盤の裏側に機構板を重ねて、更に固定具を回動させ遊技盤押え部の先端の一部で遊技盤を押えた状態で、機構板押え部で該機構板に形成した固定部を押さえさせることで遊技盤と機構板の双方を同時に押さえて固定させるものであるから、従来のものに比べて部品点数を実に半減することができると共に、手間も顕著に減らすことができる。
【００１４】
さらに、固定具の機構板押え部の下面に突設した小突起を機構板の突出片上面に設けた凹部に嵌合させることで固定具の固定位置をしっかりと保持し続けさせることができる。
【発明を実施するための最良の形態】
【００１５】
以下に本発明に係わるパチンコ機の実施の形態を図面と共に説明する。図１は本発明のパチンコ機の裏面図であり、図２は図１の一部を拡大して示す斜視図である。図３は固定具を裏面側から見た斜視図である。図において１はパチンコ機の機枠であり、該機枠１の前面に前面枠２を開閉自在に装着している。
【００１６】
前面枠２の裏面に窓部を裏側から覆うようにして遊技盤取付枠３を取り付けて該遊技盤取付枠３を介して遊技盤４が着脱自在に装着されており、該遊技盤４の裏面には入賞球集合樋５，景品球タンク６，景品球払出機構７，入賞球処理機構８等のいわゆる裏機構を設けた機構板９が開閉自在に取り付けられる。
【００１７】
機構板９の左右両側の所定個所に遊技盤４の裏面に重合させ後述する固定具１２が係止される固定部１０を複数形成している。これらの各固定部１０の上面には固定具１２の機構板押え部１７の下面に設けた小突起１８を嵌合させる凹弧状の凹部１１を設けている。
【実施例１】
【００１８】
固定具１２は前記遊技盤取付枠３の裏面に回動可能に軸支して、遊技盤４と機構板９の双方を固定させるものである。該固定具１２は図３に示すように所要長さを有してその長手方向一端寄りに凹孔１３を介して軸孔１４を貫設し、下面には軸孔１４から所要の長さにわたり遊技盤押え部１５を設け、その先方に段差１６を介して機構板押え部１７を設ける。この機構板押え部１７の先端寄り下面に前述した機構板９の固定部１０の上面に設けた凹部１１に嵌合する凸弧状の小突起１８を突設している。また固定具１２の上面の長手方向に摘み１９を形成している。
【００１９】
このように形成された固定具１２は、凹孔１３内にコイルばね２０を介在させた状態でビス２１を軸孔１４に挿通し、このビス２１を機構板９に形成した各固定部１０に近接させた所定の位置で遊技盤取付枠３の裏面に螺締させ、前記コイルばね２０の弾発を利かせた回動可能な状態に調節して軸支させる。
そして、この固定具１２を図４に鎖線で示すように遊技盤取付枠３に平行に回動させた状態で、遊技盤取付枠３内に遊技盤４を装着して、固定具１２を図４実線位置の第１位置に回動させると、図５に示すように固定具１２の下面に設けた遊技盤押え部１５が遊技盤４を押えて後方に対して抜け止めされてセットされる。
【００２０】
次に、遊技盤４の裏側に機構板９を重ねて固定具１２を図６鎖線位置から実線位置の第２位置へ回動させると、図７に示すように遊技盤押え部１５の先端の一部で遊技盤４を押えた状態で、機構板押え部１７で固定部１０を押え付けて、機構板９と遊技盤４の双方を同時に押えて固定することができる。
この際に、機構板押え部１７の下面に突設した小突起１８を固定具１０の上面に設けた凹部１１に嵌合させることにより、固定具１２の固定位置がずれることがなく遊技盤４と機構板９とを同時にしっかりと固定保持させることができる。
このようにして、図１に示すように遊技盤取付枠３の左右両側で上下２個所に軸支させた各固定具１２を回動させる動作のみで、遊技盤４と機構板９の双方を同時に押えて固定させることができる。
【００２１】
また逆に機構板９を開ける際には、固定具１２を図６実線の第２位置から図６鎖線の第１位置に回動することにより固定具１２の機構板押え部１７で押え付けられていた機構板９の固定部１０がフリーとなり、機構板９を開放することができる。同時に遊技盤押え部１５が遊技盤４をしっかりと押えているので機構板９が開放されても遊技盤取付枠３から遊技盤４が外れることはない。
【実施例２】
【００２２】
図８及び図９に示したものは他の実施例に係るもので、平面をほぼＬ形状に屈曲して屈曲部に凹孔１３を介して軸孔１４を貫設し、軸孔１４より一方の下面には遊技盤押え部１５を設けると共に、軸孔１４より他方に段差１６を介して機構板押え部１７を設けて形成した固定具１２Ａである。この固定具１２Ａは前記固定具１２と同じ要領で図９に示すように遊技盤取付枠３の裏面にビス２１を介して回動可能に軸支させて使用することで図９鎖線で示す第１位置で遊技盤４を遊技盤押え部１５で固定し、更に回動して図９実線で示す第２位置で遊技盤押え部１５の先端の一部で遊技盤４を押えた状態で、機構板押え部１７で固定部１０を押え付けて、遊技盤４と機構板９の双方を同時に押えて強固に固定することができる。
【実施例３】
【００２３】
図１０及び図１１に示したものは更に他の実施例で、平面をほぼくの字形状に屈曲して屈曲部に凹孔１３を介して軸孔１４を貫設し、下面には角部を中心にして遊技盤押え部１５を設け、その先方に段差１６を介して機構板押え部１７，１７を２個所に設けて形成された固定具１２Ｂである。この固定具１２Ｂを使用する際には機構板９にも該固定具１２Ａに対して２個所の固定部１０，１０を近接して形成し、前記実施例と同様に遊技盤取付枠３の裏面にビス２１を介して回動可能に軸支させる。そして、図１１鎖線で示す第１位置で遊技盤４を遊技盤押え部１５で押さえて固定させる。更に、固定具１２Ｂを図１１実線で示す第２位置へ回動させて、遊技盤押え部１５の先端の一部で遊技盤４を押えた状態で、各機構板押え部１７，１７で各固定部１０，１０を押え付けて、遊技盤４と機構板９の双方を同時に押えて固定させる。このようにこの固定具１２Ｂは機構板押え部１７，１７を２個備えているから、前記した各固定具１２，１２Ａよりも一段と強固に遊技盤４と機構板９とを押えて固定させることができる。
【図面の簡単な説明】
【００２４】
【図１】本発明に係わるパチンコ機の裏面図。
【図２】図１の一部拡大斜視図。
【図３】固定具の裏面から見た斜視図。
【図４】遊技盤を固定した状態の正面図。
【図５】図４のＸ−Ｘ線断面図。
【図６】遊技盤と機構板を同時に固定した状態の正面図。
【図７】図６のＹ−Ｙ線断面図。
【図８】他の実施例の固定具の裏面から見た斜視図。
【図９】図８に示した固定具を使用した作用説明図。
【図１０】他の実施例の固定具の裏面から見た斜視図。
【図１１】図１０に示した固定具を使用した作用説明図。
【符号の説明】
【００２５】
２                      前面枠
３                      遊技盤取付枠
４                      遊技盤
９                      機構板
１１                    凹部
１２，１２Ａ，１２Ｂ    固定具
１４                    軸孔
１５                    遊技盤押え部
１６                    段差
１７                    機構板押え部
１８                    小突起
２１                    ビス
【図１】
2004167286.tif 000003
【図２】
2004167286.tif 000004
【図３】
2004167286.tif 000005
【図４】
2004167286.tif 000006
【図５】
2004167286.tif 000007
【図６】
2004167286.tif 000008
【図７】
2004167286.tif 000009
【図８】
2004167286.tif 000010
【図９】
2004167286.tif 000011
【図１０】
2004167286.tif 000012
【図１１】
2004167286.tif 000013